(57)【要約】【課題】  長期に亘る使用であっても、ガイドリングを安定して装着できるトップガイドを提供する点にある。【解決手段】  トップガイド本体３のガイドリング装着座３Ａに、装着される際にはガイドリング４の挿入を許容するように拡径し装着された状態ではガイドリング４の抜け出しを阻止するように縮径する鍔部３ａを設ける。装着されたガイドリング４における鍔部３ａより奥側に位置する部分に、鍔部３ａに係止してガイドリング４の抜け出しを阻止する小径ガイド部４Ｂを形成してある。【選択図】        図２
2006204142.tif 000002
【特許請求の範囲】
【請求項１】
釣り糸を誘導するガイドリングと、前記ガイドリングを装着保持するトップガイド本体とで構成してある中通し竿用トップガイドであって、
前記トップガイド本体の前記ガイドリング装着座に、装着される際にはガイドリングの挿入を許容するように拡径し装着された状態では前記ガイドリングの抜け出しを阻止するように縮径する鍔部を設けるとともに、前記装着されたガイドリングにおける前記鍔部より奥側に位置する部分に、前記鍔部に係止してガイドリングの抜け出しを阻止する係止部を形成してある中通し竿用トップガイド。
【請求項２】
前記トップガイド本体が前記ガイドリングよりも軟質度の高い材料で形成されている請求項１記載の中通し竿用トップガイド。
【請求項３】
前記トップガイド本体の鍔部に、その鍔部の拡径縮径が可能な割り溝を設けてある請求項１記載の中通し竿用トップガイド。
【請求項４】
前記係止部と前記ガイドリング装着座とを、接着剤を介して固着するように構成してある請求項１〜３のうちのいずれか一つに記載の中通し用トップガイド。
【請求項５】
請求項１〜４のうちいずれか一つに記載のトップガイドを穂先竿に備えている中通し竿。
【発明の詳細な説明】
【技術分野】
【０００１】
本発明は、穂先竿の先端に取り付けられるトップガイドを、釣り糸を誘導するガイドリングと、そのガイドリングを装着保持するトップガイド本体とで構成してある中通し竿用トップガイド及び中通し竿に関する。
【背景技術】
【０００２】
トップガイド本体にガイドリングを取り付けるのに、前記トップガイド本体に段付きの取付座を形成し、取付座の段付き面に沿った形状に形成したガイドリングを竿先側から圧入嵌め込み固定していた。（特許文献１参照）。
【０００３】
【特許文献１】特開平８−２０５７２１号公報（段落番号〔００１８〕、図２）
【発明の開示】
【発明が解決しようとする課題】
【０００４】
上記構成では、ガイドリングをトップガイド本体に取付固定するのに、トップガイド本体にガイドリングを圧入することによって行っているが、長期に亘る使用においては、トップガイド本体の経年変化及びトップガイド本体とガイドリングとの熱膨張率の違いに起因する要因や、魚を釣り上げる際に糸を通しガイドリングに掛かる荷重等によって、ガイドリングとトップガイド本体装着面との間にズレが生ずることがあり、ガイドリングが外れ易い状態になることもあった。
【０００５】
本発明の目的は、長期に亘る使用であっても、ガイドリングを安定して装着できるトップガイドを提供する点にある。
【課題を解決するための手段】
【０００６】
〔構成〕
請求項１に係る発明の特徴構成は、前記トップガイド本体の前記ガイドリング装着座に、装着される際にはガイドリングの挿入を許容するように拡径し装着された状態では前記ガイドリングの抜け出しを阻止するように縮径する鍔部を設けるとともに、前記装着されたガイドリングにおける前記鍔部より奥側に位置する部分に、前記鍔部に係止してガイドリングの抜け出しを阻止する係止部を形成してある点にあり、その作用効果は次の通りである。
【０００７】
〔作用〕
つまり、鍔部と係止部とが機構的に係合する状態で、ガイドリングが装着されるので、ガイドリングが鍔部と係止部との係合状態を乗り越えて装着状態から脱出することは少ない。
そして、ガイドリングを装着する際には、ガイドリングをトップガイド本体の装着面に向けて強く押し込むと鍔部が拡径変形して係止部の通過を許すとともに、通過後は縮径して変形前の状態に復帰し、ガイドリングの係止部に係合してガイドリング自体の抜出しを阻止するものである。
【０００８】
〔効果〕
鍔部と係止部とが機構的に係合する状態に形成したので、長期に亘って安定した状態でガイドリングを装着できる。
【０００９】
請求項２に係る発明の特徴構成は、前記トップガイド本体が前記ガイドリングよりも軟質度の高い材料で形成されている点にあり、その作用効果は次の通りである。
【００１０】
〔作用効果〕
鍔部と係止部とが機構的に係合する状態に形成したので、長期に亘って安定した状態でガイドリングを装着できる。
しかも、このような構成を達成するのに、トップガイド本体としてガイドリングに比して柔軟性の高い材料を採用することによって、ガイドリング挿入時には変形性の高い性質を有効に活用でき、挿入して装着後においては弾性復帰させて係合機能を発揮させることによって抜け止め機能を達成できたものである。
【００１１】
請求項３に係る発明の特徴構成は、トップガイド本体の鍔部に、その鍔部の拡径縮径が可能な割り溝を設けてある点にあり、その作用効果は次の通りである。
【００１２】
〔作用効果〕
つまり、鍔部と係止部とが機構的に係合する状態で、ガイドリングが装着されるので、ガイドリングが鍔部と係止部との係合状態を乗り越えて装着状態から脱出することは少ない。
しかも、トップガイド本体を弾性体で構成しその鍔部に割り溝を設けてあるので、鍔部の拡径縮小が容易になり、トップガイド本体として必ずしも軟質材を使用する必要はなく、弾性体であれば金属材料も使用できる。
【００１３】
請求項４に係る発明の特徴構成は、請求項１〜３のうちのいずれか一つに記載の中通し竿用トップガイドにおいて、前記係止部と前記ガイドリング装着座とを、接着剤を介して固着するように構成してある点にあり、その作用効果は次の通りである。
【００１４】
〔作用効果〕
ガイドリングをトップガイドに接着できるので、前記した係止部と鍔部による抜け止め機能と相まって強力にガイドリングを固定できるとともに、鍔部より奥側に接着剤を配するので、接着剤自体の対候性を劣化させることがなく、接着状態を安定したものにできる。
【００１５】
請求項５に係る発明の特徴構成は、請求項１〜４のうちのいずれか一つに記載のトップガイドを穂先竿に備えている中通し竿である点にあり、その作用効果は次の通りである。
【００１６】
〔作用効果〕
トップガイドでの釣り糸の誘導を長期に亘って安定して行うことができ、中通し竿として使い易いものを提供できるに至った。
【発明を実施するための最良の形態】
【００１７】
〔第１実施形態〕
図１及び図２に示すように、中通し竿Ａは、トップガイドＣを備える穂先竿１、リールＢからの釣り糸を竿内に導入する導入孔２Ａとリールシート２Ｂを装着した元竿２とで構成されており、竿内に釣り糸挿通経路を備えている。
【００１８】
トップガイドＣの構成について説明する。図２及び図３に示すように、トップガイドＣは、筒状のトップガイド本体３内に大径の先端側ガイドリング４とその後方側に小径の竿尻側ガイドリング５とを装着して構成されている。トップガイド本体３は、大径の竿先側ガイドリング用装着座３Ａとその竿尻側に小径の竿尻側ガイドリング用装着座３Ｂとを有し、さらに後方側に穂先竿１の挿入孔３Ｃを有し、挿入孔３Ｃには雌ネジ部３Ｄが形成されている。
【００１９】
筒状のトップガイド本体３は、ナイロン６等で代表されるポリアミド樹脂を切削加工したものであるが、ポリアセタール樹脂等のエンジニアリング樹脂を使用することができる。
両ガイドリング４，５は、アルミナを材料として形成されたものであるが、炭化ケイ素や窒化ケイ素、サーメット等の他のエンジニアリングセラミックスを使用することができる。
このような材料選定によって、トップガイド本体３は両ガイドリング４，５よりは軟質材でできている。
【００２０】
次に、大径の竿先側ガイドリング４の形状について説明する。図３に示すように、竿先側ガイドリング４は、竿先側に大径ガイド部４Ａを設け、竿尻側に係止部としての小径ガイド部４Ｂを形成し、大径ガイド部４Ａと小径ガイド部４Ｂとの間に、小径ガイド部４Ｂよりさらに小径の接続ガイド部４Ｃを設け、これらのガイド部４Ａ、４Ｂ、４Ｃを一体形成して構成されている。
【００２１】
この竿先側ガイドリング４を装着するトップガイド本体３の竿先側ガイドリング用装着座３Ａは、竿先側の鍔部３ａとその奥の大径固定部３ｂを有している。
このような竿先側ガイドリング用装着座３Ａに対して、竿先側ガイドリング４が装着された状態で、図２に示すように、大径ガイド部４Ａがトップガイド本体３の竿先側端面に当接する状態でその外方に位置するとともに、接続ガイド部４Ｃが鍔部３ａに嵌合し、小径ガイド部４Ｂが大径固定部３ｂに嵌合する状態で、トップガイド本体３内に位置する。
【００２２】
上記のような竿先側ガイドリング４の小径ガイド部４Ｂと竿先側ガイドリング用装着座３Ａの鍔部３ａとの寸法関係は、小径ガイド部４Ｂの外径が鍔部３ａの内径より大きくなっている。したがって、竿先側ガイドリング４を竿先側ガイドリング用装着座３Ａに装着する場合には、小径ガイド部４Ｂで鍔部３ａをやや押し開きながら押し込むことによって、装着できる。鍔部３ａは合成樹脂製であり、セラミック製の小径ガイド部４Ｂよりは柔軟性に富んでいるので、このような装着方法が可能である。
【００２３】
そして、装着した状態では、竿先側ガイドリング４の小径ガイド部４Ｂの外径は、竿先側ガイドリング用装着座３Ａの鍔部３ａの内径よりも大きく形成されているので、小径ガイド部４Ｂが鍔部３ａに引っ掛かることになり、竿先側ガイドリング４が装着座３Ａから抜け出すことはない。
この装着状態で、図２に示すように、小径ガイド部４Ｂと竿先側ガイドリング用装着座３Ａとの間に接着剤を介在させて、両者を接着固定する。勿論、竿先側ガイドリング４とトップガイド本体３との接触面の全面に亘って接着剤を塗布して、接着固定してもよい。
【００２４】
竿先側ガイドリング用装着座３Ａと竿先側ガイドリング４とは、次ぎのような寸法関係となっている。図３に示すように、例えば、参考的寸法としては、竿先側ガイドリング４の小径ガイド部４Ｂの直径Ｌ１が４．２±０．１ｍｍで形成されている場合に、トップガイド本体３の入口の鍔部３ａの内径Ｌ２は４．０７±０．０３ｍｍに形成してある。このように、小径ガイド部４Ｂが０．１５ｍｍ程大きく形成してある。この寸法は、前記したように参考的なものであるので、竿先ガイドリング４の材質、トップガイド本体３の材質、穂先竿１の先端の径によって変動するものである。したがって、小径ガイド部４Ｂの直径Ｌ１が異なれば、４．０７／４．２の割合に従って鍔部３ａの内径Ｌ２が決定される。
また、竿先側ガイドリング４の小径ガイド部４Ｂがトップガイド本体３内に収まった場合の寸法関係は、小径ガイド部４Ｂの直径Ｌ１が前記した４．２±０．１ｍｍであるのに対して、トップガイド本体３の大径固定部３ｂの内径Ｌ３は４．４２±０．０３ｍｍと大きく形成してある。この寸法も竿先側ガイドリング４の材質等で変化するものである。
以上のように、互いに嵌合する竿先側ガイドリング４とトップガイド本体３との寸法差を設けることによって、安定した取り付け状態を確保することができた。
【００２５】
図示はしていないが、穂先竿１等の竿体内にも釣り糸の移動抵抗を低減する誘導リング体を設置してもよい。誘導リング体の形態としては、単に円形に形成したものを複数個揃え、それらを穂先竿１等の軸線方向に沿って並設したり、或いは、誘導リング体を螺旋状に形成して穂先竿１等に嵌め込むものでもよい。
【００２６】
〔第２実施形態〕
図４に示すように、弾性体としての金属材料を使用してトップガイド本体３を形成するとともに、鍔部３ａを拡縮可能に構成すべく、鍔部３ａにおける円周方向４箇所に割り溝３ｃを設けてある。このような構成によって、竿先側ガイドリング４の小径ガイド部４Ｂがこの割り溝３ｃ部分を押し開きながら挿入されることになるので、挿入が容易に行えるとともに、挿入後は鍔部３ａ部分は縮径して係止部としての小径ガイド部４Ｂと係合して、竿先側ガイドリング４の抜出しを阻止する構成を採っている。
【００２７】
このように、割り溝３ｃを形成することによって、トップガイド本体３としては、第１実施形態で挙げた合成樹脂等の軟質材で形成する必要性はなく、アルミやチタン等の軽量金属で硬質材を利用して形成することもできる。
【図面の簡単な説明】
【００２８】
【図１】中通し竿の側面図
【図２】トップガイドを穂先竿に装着した状態を示す縦断側面図
【図３】トップガイド本体にガイドリングを装着する前の状態を示す分解縦断側面図
【図４】トップガイドの別実施構造を示す斜視図
【符号の説明】
【００２９】
３            トップガイド本体
３Ａ          ガイドリング用装着座
３ａ          鍔部
３ｃ          割り溝
４、５        ガイドリング
４Ｂ          係止部
【図１】
2006204142.tif 000003
【図２】
2006204142.tif 000004
【図３】
2006204142.tif 000005
【図４】
2006204142.tif 000006